(57)【要約】      （修正有）【課題】サッシ窓枠内での処理を可能にし、天井・壁面などに傷つけることなく窓周り商品の取り付けを可能にした窓面の取り付け物の取り付け方法を提供する。【解決手段】サッシ上部枠２と多機能レール１を一体に成型し、レール部に可動フック、固定フックを組み込み構成する。【選択図】図３
2012165896.tif 000002
【特許請求の範囲】
【請求項１】
サッシ上部枠（２）と多機能レール（１）を一体に成型し可動式フック（４）を挿入した可動式機能装置。
【請求項２】
多機能レール（１）にブラケット（３）を組み込みボルトねじ（５）ボルトねじ受け（６）にてブラケット（３）を固定し既存のブラケット使用の、取り付け機能装置。
【請求項３】
多機能レール（１）に固定フック（５）（６）を組み込んだ取り付け機能装置。
【発明の詳細な説明】
【技術分野】
【０００１】
本発明は、サッシ窓面における、取り付け用品の簡単取り付け取り外しに関する。
【背景技術】
【０００２】
サッシ枠体と一体となった多目的レール機能を有する類似製品は無い。
【発明の概要】
【発明が解決しようとする課題】
【０００３】
室内側に日除け・目隠し・暖冷房・装飾・展示・物掛けを目的として、多種多様の商品が販売されている、それらを取り付けるにあたり、天井面・壁面へのボルトネジによる固定金具の取り付けが必要である、それらの取り付けのために下地材が必要であるが、昨今の建築事情により集成材・樹脂加工材等が多く使用され下地材位置確認が難しく不均一である為、確実取り付けが難しく長期間使用により取り付け部の破壊による落下クレームが多く出ている、又室内模様替え時、留め金具あとが残り穴埋め及び表面処理が必要である、本件案はこれらの問題を解決した。
【課題を解決するための手段】
【０００４】
サッシ上部枠に多機能レールを一体に成型し、多機能レールとブラケット取り付け機能を可能にした。
【０００５】
サッシ上部枠に多機能レールを一体に成型することにより、室内の壁面・天井面の取り付けを排除し取り付け取り外しの慣用化を可能にした。
【０００６】
サッシの形態を選ばない。
【発明の効果】
【０００７】
サッシと多機能レールを一体化することにより、室内外の天井壁面に取り付け具を使用することなく、日除け・目隠し・暖冷房・装飾・展示・もの掛け、目的の取り付け取り外しの慣用効果を得る。
【図面の簡単な説明】
【０００８】
【図１】多機能レールをサッシに組み込んだ総体断面図。
【図２】多機能レールを組み込んだ箇所図。
【図３】多機能レールにブラケットを組み込んだ参照図。
【図４】多機能レールに直接可動フックを組み込んだ参照図。
【図５】多機能レールに直接固定フックを組み込んだ参照図。
【図６】多機能レールにカーテンボックスを組み込んだ参照図。
【図７】多機能レールを正面付けした断面図。
【図８】多機能レールと固定フックとハンガーの組み込んだ参照図。
【図９】可動フック図
【発明を実施するための形態】
【０００９】
発明の実施の形態を実施例図面を参照して説明する。
図面１より説明。多機能レールをサッシに組み込んだ総体断面図である。
【００１０】
図面２より説明。サッシ上部枠（２）に多機能レール（１）を一体化した実施例である。
【００１１】
図面３より説明。多機能レールに固定フックを組み込みブラケットよりカーテンレールを取り付けた実施例である。
【００１２】
図面４より説明。多機能レールに直接可動フックを組み込んだ実施例である。
【００１３】
図面５より説明。多機能レールに固定フックを組み込み固定ハンガーを設置した実施例である。
【００１４】
図面６より説明。レールに固定フックにてボックスレールを組み込んだ実施例である。
【００１５】
図面７より説明。多機能レールを正面付けにした実施図である。
【００１６】
図面８より説明。多機能レールと固定フックとハンガーの組み込み実施図である。
【符号の説明】
【００１７】
１  多機能レール
２  サッシ上部枠
３  ブラケット
４  可動フック
５  ボルトねじ
６  ボルトねじ受
【図１】
2012165896.tif 000003
【図２】
2012165896.tif 000004
【図３】
2012165896.tif 000005
【図４】
2012165896.tif 000006
【図５】
2012165896.tif 000007
【図６】
2012165896.tif 000008
【図７】
2012165896.tif 000009
【図８】
2012165896.tif 000010
【図９】
2012165896.tif 000011
【手続補正書】
【提出日】平成24年1月17日(2012.1.17)
【手続補正１】
【補正対象書類名】明細書
【補正対象項目名】全文
【補正方法】変更
【補正の内容】
【発明の詳細な説明】
【技術分野】
【０００１】
本発明は、サッシ窓面における、取り付け用品の簡単取り付け取り外しに関する。
【背景技術】
【０００２】
サッシ枠部に組み込み装置は考案商品はあるが後付けのため強度に問題があった(例えば特許文献１参照)
【先行技術文献】
【特許文献】
【０００３】
【特許文献１】特開２００２−２０９７１７号公報
【発明の概要】
【発明が解決しようとする課題】
【０００４】
室内側に日除け・目隠し・暖冷房・装飾・展示・物掛けを目的として、多種多様の商品が販売されている、それらを取り付けるにあたり、天井面・壁面へのボルトネジによる固定金具の取り付けが必要である、それらの取り付けのために下地材が必要であるが、昨今の建築事情により集成材・樹脂加工材等が多く使用され下地材位置確認が難しく不均一である為、確実取り付けが難しく長期間使用により取り付け部の破壊による落下クレームが多く出ている、又室内模様替え時、留め金具あとが残り穴埋め及び表面処理が必要である、本件案はこれらの問題を解決した。
【課題を解決するための手段】
【０００５】
サッシ上部枠に多機能レールを一体に成型し、多機能レールとブラケット取り付け機能を可能にした。
【０００６】
サッシ上部枠に多機能レールを一体に成型することにより、室内の壁面・天井面の取り付けを排除し取り付け取り外しの慣用化を可能にした。
【０００７】
サッシの形態を選ばない。
【発明の効果】
【０００８】
サッシと多機能レールを一体化することにより、室内外の天井壁面に取り付け具を使用することなく、日除け・目隠し・暖冷房・装飾・展示・もの掛け、目的の取り付け取り外しの慣用効果を得る。
【図面の簡単な説明】
【０００９】
【図１】多機能レールをサッシに組み込んだ総体断面図
【図２】多機能レールを組み込んだ箇所図
【図３】多機能レールにブラケットを組み込んだ参照図
【図４】多機能レールに直接可動フックを組み込んだ参照図
【図５】多機能レールに直接固定フックを組み込んだ参照図
【図６】多機能レールにカーテンボックスを組み込んだ参照図
【図７】多機能レールを正面付けにした断面図
【図８】多機能レールと固定フックとハンガーの組み込んだ参照図
【図９】可動フック図
【図１０】サッシ外枠にハンガーポールと手摺りを組み込んだ参照図
【発明を実施するための形態】
【００１０】
発明実施の形態を実施例図面を参照して説明する。
図面１より説明。多機能レールをサッシに組み込んだ総体断面図である。
【００１１】
図面２より説明。サッシ上部枠（２）に多機能レール（１）を一体化した実施例である。
【００１２】
図面３より説明。多機能レールに固定フックを組み込みブラケットによりカーテンレールを取り付けた実施例である。
【００１３】
図面４より説明。多機能レールに直接可動フックを組み込んだ実施例である。
【００１４】
図面５より説明。多機能レールに固定フックを組み込み固定ハンガーを設置した実施例である。
【００１５】
図面６より説明。レールに固定フックにてボックスレールを組み込んだ実施例である。
【００１６】
図面７より説明。多機能レールを正面付けにした実施図である。
【００１７】
図面８より説明。多機能レールと固定フックとハンガーの組み込み実施図である。
【００１８】
図面１０より説明。サッシ外枠にハンガーポール（７）と手摺り（８）を組み込んだ実施例である。
【符号の説明】
【００１９】
１    多機能レール
２    サッシ上部枠
３    ブラッケット
４    可動フック
５    ボルトねじ
６    ボルトねじ受け
７    ハンガーポール
８    手摺り
【手続補正２】
【補正対象書類名】図面
【補正対象項目名】図２
【補正方法】変更
【補正の内容】
【図２】
2012165896.tif 000012
【手続補正３】
【補正対象書類名】図面
【補正対象項目名】図１０
【補正方法】追加
【補正の内容】
【図１０】
2012165896.tif 000013